(57)【要約】【課題】表示画面に対する接触操作にて、接続される外部装置に対する操作だけでなく、自装置に対する操作も可能である表示装置を提供する。【解決手段】タッチパネル回路は、タッチパネルに対してユーザが操作した操作位置を時系列的に検出し、得られた複数の操作位置にて規定される操作パターンが、予め登録してある登録パターンのいずれに一致又は類似するかを特定する。タッチパネル回路は、操作パターンが一致又は類似する登録パターンを特定した場合、特定した登録パターンに応じた処理を実行する。【選択図】図２
2014203298.tif 000002
【特許請求の範囲】
【請求項１】
外部装置から画像信号を取得して表示する表示部と、該表示部の表示画面に対する接触位置を検出する検出部と、該検出部が検出した接触位置を前記外部装置へ送信する送信部とを備える表示装置において、
複数のパターン及び各パターンに応じた処理を示す情報を対応付けて記憶する記憶部と、
前記検出部が時系列的に検出した複数の接触位置を順次記憶する接触位置記憶部と、
該接触位置記憶部に記憶された接触位置の集合として規定される接触パターンが、前記記憶部に記憶してあるパターンのいずれに一致又は類似するかを特定する特定部と、
該特定部が特定したパターンに応じた処理を示す情報を前記記憶部から読み出し、読み出した情報が示す処理を実行する実行部と
を備えることを特徴とする表示装置。
【請求項２】
前記接触位置記憶部に記憶された接触位置の集合として規定される接触パターンが所定の大きさよりも大きいか否かを判断する判断部を備え、
前記特定部は、前記判断部が所定の大きさよりも大きいと判断した場合、前記接触パターンが前記記憶部に記憶してあるパターンのいずれに一致又は類似するかを特定するようにしてあることを特徴とする請求項１に記載の表示装置。
【請求項３】
前記記憶部は、複数の文字又は記号と、それぞれに応じた処理を示す情報とを対応付けて記憶しており、
前記特定部は、
前記接触位置記憶部に記憶された接触位置の集合として規定される接触パターンが所定の文字又は記号のいずれであるかを特定するパターン認識部を有し、
該パターン認識部が特定した文字又は記号が、前記記憶部に記憶してある文字又は記号のいずれに一致又は類似するかを特定するようにしてあることを特徴とする請求項１又は２に記載の表示装置。
【請求項４】
複数の処理のそれぞれに対応付けられるパターンを受け付ける受付画面を前記表示部に表示する表示制御部と、
前記表示部に表示された受付画面に対する接触位置を前記検出部が時系列的に検出し、前記接触位置記憶部に順次記憶された複数の接触位置の集合として規定される接触パターンを受け付けるパターン受付部と、
前記複数の処理のそれぞれに対応付けて、前記パターン受付部が受け付けた接触パターンを前記記憶部に記憶させる記憶制御部と
を備えることを特徴とする請求項１又は２に記載の表示装置。
【請求項５】
前記送信部は、前記特定部が一致又は類似するパターンを特定した場合、前記検出部が検出した接触位置の前記外部装置への送信を停止するようにしてあることを特徴とする請求項１から４までのいずれかひとつに記載の表示装置。
【発明の詳細な説明】
【技術分野】
【０００１】
本発明は、外部装置に接続され、接続された外部装置に対する操作を、自装置の表示画面に対する接触操作によって実現する表示装置に関する。
【背景技術】
【０００２】
パーソナルコンピュータ（以下、ＰＣという）に接続して使用される表示装置として、タッチパネルを有するタッチディスプレイが普及している。タッチディスプレイは、外部のＰＣから送られてくる映像信号を表示パネルに表示するディスプレイ回路、タッチパネルに対するタッチ操作を検知し、検知結果をＰＣへ送信するタッチパネル回路等を有する。例えば、特許文献１には、外部のＰＣからの画像信号を表示する画像表示装置が、表示画面に対してペン又は指等の指示具によって入力指示された場合に、指示具による指示位置を検出し、検出した指示位置の座標情報をＰＣへ送る構成が開示されている。
【先行技術文献】
【特許文献】
【０００３】
【特許文献１】特開２００７−７２５０７号公報
【発明の概要】
【発明が解決しようとする課題】
【０００４】
一般的なタッチディスプレイは、ディスプレイ回路とタッチパネル回路とがそれぞれ独立して動作するように構成されている。具体的には、ディスプレイ回路は、外部のＰＣから映像信号が送られてきた場合に表示パネルに表示し、タッチパネル回路は、タッチパネルに対してタッチ操作された場合に、タッチ操作された箇所（位置）を検知してＰＣへ通知する。
またタッチディスプレイは、タッチパネルを介してＰＣに対する操作を可能にするが、タッチパネルを介して自装置に対する操作ができない場合が多い。よって、タッチディスプレイにおける画質又は画角の調整、外部入力の切替、電源オフ等を操作指示する場合、ユーザは、タッチディスプレイに設けられた操作ボタン又はリモートコントローラを操作する必要があるという問題を有する。
【０００５】
また、特許文献１に開示された画像表示装置は、表示画面領域と操作手段領域とを有する。そして、指示具による指示位置の座標が表示画面領域上にある場合には、接続されているＰＣに対する操作として受け付け、指示位置の座標が操作手段領域上にある場合には、画像表示装置自身に対する操作として受け付ける。よって、特許文献１に開示された画像表示装置では、表示画面に対する指示具の指示位置にて、自装置に対する操作が可能であるが、表示画面領域以外に操作手段領域を設ける必要があるという問題を有する。
【０００６】
本発明はかかる事情に鑑みてなされたものである。その目的とするところは、自装置に対する操作を受け付けるための表示領域を設けることなく、表示画面に対する接触操作にて、接続される外部装置に対する操作だけでなく、自装置に対する操作も可能である表示装置を提供することにある。
【課題を解決するための手段】
【０００７】
本発明に係る表示装置は、外部装置から画像信号を取得して表示する表示部と、該表示部の表示画面に対する接触位置を検出する検出部と、該検出部が検出した接触位置を前記外部装置へ送信する送信部とを備える表示装置において、複数のパターン及び各パターンに応じた処理を示す情報を対応付けて記憶する記憶部と、前記検出部が時系列的に検出した複数の接触位置を順次記憶する接触位置記憶部と、該接触位置記憶部に記憶された接触位置の集合として規定される接触パターンが、前記記憶部に記憶してあるパターンのいずれに一致又は類似するかを特定する特定部と、該特定部が特定したパターンに応じた処理を示す情報を前記記憶部から読み出し、読み出した情報が示す処理を実行する実行部とを備えることを特徴とする。
【０００８】
本発明に係る表示装置は、前記接触位置記憶部に記憶された接触位置の集合として規定される接触パターンが所定の大きさよりも大きいか否かを判断する判断部を備え、前記特定部は、前記判断部が所定の大きさよりも大きいと判断した場合、前記接触パターンが前記記憶部に記憶してあるパターンのいずれに一致又は類似するかを特定するようにしてあることを特徴とする。
【０００９】
本発明に係る表示装置は、前記記憶部は、複数の文字又は記号と、それぞれに応じた処理を示す情報とを対応付けて記憶しており、前記特定部は、前記接触位置記憶部に記憶された接触位置の集合として規定される接触パターンが所定の文字又は記号のいずれであるかを特定するパターン認識部を有し、該パターン認識部が特定した文字又は記号が、前記記憶部に記憶してある文字又は記号のいずれに一致又は類似するかを特定するようにしてあることを特徴とする。
【００１０】
本発明に係る表示装置は、複数の処理のそれぞれに対応付けられるパターンを受け付ける受付画面を前記表示部に表示する表示制御部と、前記表示部に表示された受付画面に対する接触位置を前記検出部が時系列的に検出し、前記接触位置記憶部に順次記憶された複数の接触位置の集合として規定される接触パターンを受け付けるパターン受付部と、前記複数の処理のそれぞれに対応付けて、前記パターン受付部が受け付けた接触パターンを前記記憶部に記憶させる記憶制御部とを備えることを特徴とする。
【００１１】
本発明に係る表示装置は、前記送信部は、前記特定部が一致又は類似するパターンを特定した場合、前記検出部が検出した接触位置の前記外部装置への送信を停止するようにしてあることを特徴とする。
【発明の効果】
【００１２】
本発明では、表示装置の表示画面に対する接触操作にて、表示装置に接続されている外部装置に対する操作だけでなく、表示装置自身に対する操作も可能である。よって、表示装置に設けられた操作ボタン又はリモートコントローラを操作することなく、表示画面を操作することによって、表示装置に対する操作を行うことができる。
【図面の簡単な説明】
【００１３】
【図１】実施形態１に係るタッチディスプレイの外観を示す模式図である。
【図２】実施形態１に係るタッチディスプレイの構成例を示すブロック図である。
【図３】タッチパネルに対するユーザの操作パターンの例を示す模式図である。
【図４】コマンドテーブルの構成例を示す模式図である。
【図５】コマンド認識部が行う処理を説明するための説明図である。
【図６】実施形態１に係るＰＣの構成例を示すブロック図である。
【図７】タッチディスプレイ及びＰＣが行う処理の手順を示すフローチャートである。
【図８】設定メニューの表示中にタッチパネル回路及びディスプレイ回路が行う処理の手順を示すフローチャートである。
【図９】設定メニューの表示例を示す模式図である。
【図１０】動作を終了する際にタッチパネル回路及びディスプレイ回路が行う処理の手順を示すフローチャートである。
【図１１】確認画面例を示す模式図である。
【図１２】登録パターンの登録処理の手順を示すフローチャートである。
【図１３】登録画面例を示す模式図である。
【図１４】登録パターンの登録処理の手順を示すフローチャートである。
【図１５】登録画面例を示す模式図である。
【図１６】実施形態３のタッチディスプレイ及びＰＣが行う処理の手順を示すフローチャートである。
【発明を実施するための形態】
【００１４】
以下に、本発明に係る表示装置について、その実施形態であるタッチパネルディスプレイを示す図面に基づいて詳述する。なお、以下では、タッチパネルディスプレイをタッチディスプレイと呼ぶ。
【００１５】
（実施形態１）
図１は、実施形態１に係るタッチディスプレイの外観を示す模式図である。本実施形態１のタッチディスプレイ１は、一側面にタッチパネル１ａを有する表示装置であり、タッチパネル１ａの背面側（タッチディスプレイ１の筐体内部）にはディスプレイ２ａ（図２参照）が設けてある。タッチパネル１ａは、タッチディスプレイ１の筐体内部に収納されたディスプレイ２ａの表示画面側に設けてあるが、このような構成に限らない。例えば、タッチパネル１ａが、ディスプレイ２ａの背面側（表示画面の裏面側）に設けられていてもよいし、タッチパネル１ａ及びディスプレイ２ａが一体で構成されていてもよい。
【００１６】
タッチディスプレイ１は、外部のＰＣ（外部装置）３に接続され、ＰＣ３に対する入出力装置として機能する。タッチディスプレイ１は、表示装置に限らず、テレビジョン放送の受信機能を有するテレビジョン受信機であってもよい。またタッチディスプレイ１は、タッチパネル１ａ及びディスプレイ２ａを有し、ＰＣ３と接続可能な機器であればよく、携帯型のコンピュータ、携帯型のゲーム機、携帯電話、スマートフォン等でもよい。
【００１７】
図２は、実施形態１に係るタッチディスプレイ１の構成例を示すブロック図である。本実施形態１のタッチディスプレイ１は、タッチパネル１ａ及びディスプレイ２ａと、タッチパネル１ａの動作を制御するタッチパネル回路１０と、ディスプレイ２ａの動作を制御するディスプレイ回路２０とを有する。
タッチパネル回路１０は、制御部１１、ＲＡＭ（Random Access Memory）１２、記憶部１３、接続部１４、ＰＣ接続部１５、タッチ検出部１６、座標演算部１７、コマンド認識部１８及びＵＳＢ（Universal Serial Bus）制御部１９等を備える。
【００１８】
制御部１１は、ＣＰＵ（Central Processing Unit）又はＭＰＵ（Micro Processor Unit）等である。制御部１１は、記憶部１３に記憶されている制御プログラムを適宜ＲＡＭ１２にロードして実行することにより上述のハードウェア各部を制御し、タッチディスプレイ１を、本発明に係る表示装置として動作させる。
ＲＡＭ１２は、ＳＲＡＭ（Static ＲＡＭ）、ＤＲＡＭ（Dynamic ＲＡＭ）、フラッシュメモリ等である。ＲＡＭ１２は、制御部１１による制御プログラムの実行時に発生する種々のデータを一時的に記憶する。
記憶部１３は、ＥＥＰＲＯＭ（Electrically Erasable and Programmable ROM）、フラッシュメモリ、ＨＤＤ（Hard Disk Drive）等の不揮発性メモリである。記憶部１３は、制御部１１が実行すべき制御プログラム及び各種データを予め記憶している。また記憶部１３は、図４に示すようなコマンドテーブル１３ａを記憶している。コマンドテーブル１３ａの詳細な構成については後述する。
【００１９】
接続部１４は、ディスプレイ回路２０の接続部２４に接続され、接続部２４との間で制御信号を送受信する。具体的には、タッチパネル回路１０の制御部１１は、接続部１４，２４を介して、ディスプレイ回路２０の制御部２１へ制御信号（コマンド）を送信し、制御部２１から送信された制御信号を受信する。これにより、タッチパネル回路１０及びディスプレイ回路２０は互いの動作を制御する。
ＰＣ接続部１５は、ＰＣ３との接続が可能な接続部であり、例えば、ＵＳＢケーブルを介してＰＣ３に接続されるＵＳＢインタフェースである。
ＵＳＢ制御部１９は、ＰＣ接続部１５がＵＳＢケーブルを介してＰＣ３との間で制御信号を送受信する動作を制御する。
これにより、タッチパネル回路１０の制御部１１は、ＵＳＢ制御部１９にてＰＣ接続部１５を介したＰＣ３との通信を制御し、ＰＣ３との間で制御信号の送受信を行う。
【００２０】
タッチ検出部１６及び座標演算部１７はタッチパネル１ａに接続されている。タッチパネル１ａは、静電容量方式、抵抗膜方式、電磁誘導方式又は赤外線方式等の各種のタッチセンサである。タッチ検出部１６は、タッチパネル１ａに対して例えばユーザの指が接触したか否かを検出する。座標演算部（検出部）１７は、ユーザの指がタッチパネル１ａに接触したことをタッチ検出部１６が検出した場合に、タッチパネル１ａの表面（ディスプレイ２ａの表示画面）に対する接触位置（以下、操作位置という）に係る座標情報を算出する。また、ユーザの指がタッチパネル１ａに対して連続して接触している場合に、座標演算部１７は、所定時間間隔（例えば、数１０ｍ秒、数１００ｍ秒毎）で操作位置の座標情報を算出する。座標演算部１７は、算出した座標情報を随時制御部１１に通知する。
【００２１】
本実施形態１では、タッチパネル１ａに対して接触操作する操作体をユーザの指を例に説明するが、操作体は所定のペン等であってもよい。また本実施形態１では、タッチパネル１ａの座標軸原点を正面視左上角とし、左から右へ向かう方向をｘ軸正方向とし、上から下へ向かう方向をｙ軸正方向とし、操作位置に係る座標情報をｘ座標値及びｙ座標値で示す。
図３は、タッチパネル１ａに対するユーザの操作パターンの例を示す模式図である。本実施形態１のタッチディスプレイ１では、ディスプレイ２ａに表示された画面中の操作ボタンに対するユーザの選択操作のほかに、図３に示すようにユーザの手書き入力による操作が可能である。図３には、３つの操作パターンの例を示しており、上から順に「Ｍ」、「Ｓ」、「Ｘ」の文字が操作パターンとして入力された状態を示す。なお、図３に示す３つの操作パターンのそれぞれは、例えば、矢符で示す順序で入力される。
【００２２】
制御部１１は、座標演算部１７にて算出された操作位置の座標情報を、ＰＣ接続部（送信部）１５からＰＣ３へ随時送信する。ＰＣ３は、タッチパネル回路１０から取得した操作位置の座標情報に基づいて、実行すべき処理を特定して実行する。よって、ユーザは、タッチパネル１ａを介してＰＣ３に対して所望の処理の実行を指示できる。
【００２３】
また制御部１１は、座標演算部１７にて算出された操作位置の座標情報を、記憶部（接触位置記憶部）１３に蓄積する。コマンド認識部１８内に記憶部が設けてある場合、制御部１１は、操作位置の座標情報をコマンド認識部１８内の記憶部に蓄積してもよい。なお、ユーザの指がタッチパネル１ａから離れてから所定時間（例えば、数秒）が経過した後に再度タッチパネル１ａに接触した場合、この接触操作は、直前のタッチパネル１ａに対する操作とは別の操作であるとする。よって、この場合、制御部１１は、記憶部１３に蓄積した座標位置を一旦削除し、新たに座標演算部１７が算出した座標情報の蓄積を開始する。
【００２４】
コマンド認識部１８は、記憶部１３に蓄積された座標情報及びコマンドテーブル１３ａに基づいて、タッチパネル１ａに対するユーザの接触操作に応じた処理（コマンド）を特定する。記憶部１３に蓄積された座標情報は、例えば、図３に示す操作パターンについて、所定時間毎に抽出した各点の座標情報である。
図４は、コマンドテーブル１３ａの構成例を示す模式図である。図４に示すコマンドテーブル１３ａには、ディスプレイ回路２０にて実行される処理毎に、各処理の実行指示を示す制御信号（コマンド）と、タッチパネル１ａに対するユーザの操作パターン（登録パターン）とが対応付けて記憶されている。コマンドは、予め決定されてコマンドテーブル１３ａに記憶されている。なお、図４に示す例では、各コマンドに対応する処理内容も図示しているが、実際のコマンドテーブル１３ａにはコマンドのみ記憶されていればよい。登録パターンは、所定の登録画面を介してユーザによって登録されたパターンであり、ユーザが登録又は変更する都度、制御部１１によって格納又は更新される。なお、本実施形態１では、登録パターンに所定の文字又は記号を用いる。
【００２５】
図５は、コマンド認識部１８が行う処理を説明するための説明図である。コマンド認識部（パターン認識部）１８は、記憶部１３に蓄積された座標情報の集合として規定される操作パターン（接触パターン）に対して、予め記憶部１３に記憶されている特徴辞書に基づくパターンマッチング処理（文字認識処理）を行う。特徴辞書には、複数の文字及び記号の特徴を示す特徴情報が記憶してある。
具体的には、コマンド認識部１８は、記憶部１３に蓄積された座標情報の集合として規定される操作パターン、例えば、記憶部１３に蓄積された座標情報を蓄積順に順次つなぎ合わせて形成される操作パターンをパターン化する。例えば、図５Ａに示す操作パターンが入力（操作）された場合、コマンド認識部１８は、図５Ｂに示すように、操作パターンを所定サイズ（ｘ０×ｙ０）に正規化する。そして、コマンド認識部１８は、図５Ｃに示すように、所定サイズの操作パターンから特徴点のデータ（特徴データ）を抽出する。コマンド認識部１８は、例えば、操作パターンを構成する各直線部分が交差する点を特徴点とし、各特徴点の座標情報を抽出する。なお、図５Ｃに示す例では、１１個の特徴データが抽出されている。
【００２６】
コマンド認識部１８は、操作パターンから抽出した特徴データ（各特徴点の座標情報）と、特徴辞書に記憶されている文字及び記号の特徴情報とを比較し、操作パターンが、特徴辞書に登録されている文字又は記号のいずれであるかを特定する。なお、マッチングの方法としては、操作パターンの各特徴データを、特徴辞書に記憶してある文字及び記号の各特徴情報に順次重ね合わせて順次比較する。そして、全ての特徴データが合致した場合に、このときの文字又は記号が、操作パターンが示す文字又は記号に一致すると判定される。また、全ての特徴データではないが、所定数以上の特徴データが合致した場合に、このときの文字又は記号が、操作パターンが示す文字又は記号に類似すると判定される。
【００２７】
コマンド認識部１８は、パターンマッチング処理の結果、操作パターンがいずれかの文字又は記号に一致又は類似すると判定した場合、判定した文字又は記号が、コマンドテーブル１３ａに登録パターンとして記憶されているか否かを判断する。判定した文字又は記号が登録パターンとしてコマンドテーブル１３ａに記憶されている場合、コマンド認識部（特定部）１８は、この登録パターンに対応するコマンドをコマンドテーブル１３ａから読み出す。これにより、タッチパネル１ａに対するユーザの操作（操作パターン）に応じたコマンド（処理）を特定できる。コマンド認識部１８は、特定したコマンドを制御部１１に通知し、制御部（実行部）１１は、通知されたコマンドに従って処理を実行する。
【００２８】
ディスプレイ回路２０は、制御部２１、ＲＡＭ２２、記憶部２３、接続部２４、外部入力部２５、映像表示部２６、ＯＳＤ（On Screen Display）表示部２７、画質調整部２８及び電源制御部２９等を備える。
制御部２１は、ＣＰＵ又はＭＰＵ等である。制御部２１は、記憶部２３に記憶されている制御プログラムを適宜ＲＡＭ２２にロードして実行することにより上述のハードウェア各部を制御し、タッチディスプレイ１を、本発明に係る表示装置として動作させる。
【００２９】
ＲＡＭ２２は、ＳＲＡＭ、ＤＲＡＭ、フラッシュメモリ等である。ＲＡＭ２２は、制御部２１による制御プログラムの実行時に発生する種々のデータを一時的に記憶する。
記憶部２３は、ＥＥＰＲＯＭ、フラッシュメモリ、ＨＤＤ等の不揮発性メモリである。記憶部２３は、制御部２１が実行すべき制御プログラム及び各種データを予め記憶している。
【００３０】
接続部２４は、タッチパネル回路１０の接続部１４に接続され、接続部１４との間で制御信号を送受信する。具体的には、ディスプレイ回路２０の制御部２１は、接続部２４，１４を介して、タッチパネル回路１０の制御部１１へ制御信号を送信し、制御部１１から送信された制御信号（コマンド）を受信する。ディスプレイ回路２０の制御部（実行部）２１は、接続部２４にて受信した制御信号（コマンド）に従って処理を行うことにより、タッチパネル回路１０からの指示に従った処理を実行する。
外部入力部２５は、ＰＣ３との接続が可能な接続部である。また外部入力部２５は、ハードディスク又は光ディスク等の記録媒体に記録された信号を読み出すことが可能な再生装置、テレビジョン放送を受信するためのチューナ等との接続が可能である。外部入力部２５は、切替スイッチを有しており、制御部２１からの指示に従って、接続された各機器のうちのいずれかを選択し、選択した機器から送出された映像信号を取得する。
【００３１】
映像表示部２６及びＯＳＤ表示部２７にはディスプレイ２ａが接続されている。ディスプレイ（表示部）２ａは、例えば、液晶ディスプレイ、プラズマディスプレイ又は有機ＥＬ（Electro Luminescence）ディスプレイ等である。
映像表示部２６は、制御部２１からの指示に従って、外部入力部２５を介して取得した映像信号をディスプレイ２ａに表示させる。よって、ディスプレイ回路２０は、ＰＣ３又は他の機器から送出された映像信号を外部入力部２５にて取得し、映像表示部２６にてディスプレイ２ａに表示させることができる。
【００３２】
ＯＳＤ表示部２７は、制御部２１からの指示に従って、映像表示部２６によってディスプレイ２ａに表示された映像の上に、予め記憶部２３に記憶してある各種の画面情報に基づく画面を表示させる。なお、記憶部２３に記憶してある画面情報には、例えば、ディスプレイ２ａの表示映像の画質（解像度）、画面サイズ、画角等を調整するための設定メニュー情報、コマンドテーブル１３ａを更新するための登録画面情報等がある。
画質調整部２８は、制御部２１からの指示に従って、ディスプレイ２ａの画質、画面サイズ、画角等を調整する。具体的には、画質調整部２８は、ＯＳＤ表示部２７によってディスプレイ２ａに表示された設定メニューを介してユーザが設定した各種の情報に基づく調整処理（設定処理）を行う。
【００３３】
電源制御部２９は、電源コンセントへの差し込みが可能な電源プラグ又はバッテリ（共に図示せず）に接続されている。電源制御部２９は、制御部２１からの指示に従って、電源プラグを介して供給される電力、又はバッテリから供給される電力を、ディスプレイ回路２０の各部だけでなく、タッチディスプレイ１を構成する各部に供給する。
本実施形態１のタッチディスプレイ１は、タッチパネル１ａのほかにも、機械的に操作を検知する機械式の操作ボタンを備えていてもよく、また、リモートコントローラを用いた遠隔操作が可能に構成されていてもよい。
【００３４】
図６は、実施形態１に係るＰＣ３の構成例を示すブロック図である。
ＰＣ３は、制御部３０、ＲＡＭ３１、記憶部３２、映像出力部３３、タッチパネル接続部３４、ＵＳＢ制御部３５及びコマンド認識部３６等を備える。
制御部３０は、ＣＰＵ又はＭＰＵ等である。制御部３０は、記憶部３２に記憶されている制御プログラムを適宜ＲＡＭ３１にロードして実行することにより上述のハードウェア各部を制御し、ＰＣ３としての動作を行う。
【００３５】
ＲＡＭ３１は、ＳＲＡＭ、ＤＲＡＭ、フラッシュメモリ等である。ＲＡＭ３１は、制御部３０による制御プログラムの実行時に発生する種々のデータを一時的に記憶する。
記憶部３２は、ＥＥＰＲＯＭ、フラッシュメモリ、ＨＤＤ等の不揮発性メモリである。記憶部３２は、制御部３０が実行すべき制御プログラム及び各種データを予め記憶している。
【００３６】
映像出力部３３は、タッチディスプレイ１のディスプレイ回路２０との接続が可能な接続部であり、制御部３０からの指示に従って、例えば記憶部３２に記憶してある映像信号をディスプレイ回路２０へ送出する。
タッチパネル接続部３４は、タッチディスプレイ１のタッチパネル回路１０との接続が可能な接続部であり、例えば、ＵＳＢケーブルを介してタッチパネル回路１０に接続されるＵＳＢインタフェースである。
ＵＳＢ制御部３５は、タッチパネル接続部３４がＵＳＢケーブルを介してタッチディスプレイ１のタッチパネル回路１０との間で制御信号を送受信する動作を制御する。
これにより、ＰＣ３の制御部３０は、ＵＳＢ制御部３５にてタッチパネル接続部３４を介したタッチパネル回路１０との通信を制御し、タッチパネル回路１０との間で制御信号の送受信を行う。
【００３７】
コマンド認識部３６は、タッチディスプレイ１のタッチパネル１ａに対するユーザの操作に応じた処理（コマンド）を特定する。例えばコマンド認識部３６は、映像出力部３３からディスプレイ回路２０へ出力している映像信号に基づく映像（表示画面）と、タッチパネル回路１０から送信されてくる操作位置（接触位置）の座標情報とに基づいて、画面中に表示されているいずれかのボタンが操作されたか否かを判断する。いずれかのボタンが操作されたと判断した場合、コマンド認識部３６は、操作されたボタンに対応する処理（コマンド）を制御部３０に通知する。また、図４に示すようなコマンドテーブルを記憶部３２に記憶しておき、タッチパネル回路１０のコマンド認識部１８と同等に、コマンド認識部３６は、タッチパネル１ａに対するユーザの操作パターンに応じたコマンドをコマンドテーブルから読み出してもよい。
制御部３０が、コマンド認識部３６から通知された処理を実行することにより、ＰＣ３が、タッチディスプレイ１のタッチパネル１ａに対するユーザの接触操作に応じた処理の実行が可能となる。
【００３８】
以下に、本実施形態１のタッチディスプレイ１及びＰＣ３が行う処理について説明する。図７は、タッチディスプレイ１及びＰＣ３が行う処理の手順を示すフローチャートである。なお、図７において、左側の処理はＰＣ３による処理を、中央の処理はタッチディスプレイ１のタッチパネル回路１０による処理を、右側の処理はタッチディスプレイ１のディスプレイ回路２０による処理をそれぞれ示す。
【００３９】
タッチディスプレイ１のタッチパネル回路１０において、制御部１１は、通常動作を行っている場合、タッチ検出部１６にて、タッチパネル１ａに対するユーザの接触操作があるか否かを判断する（Ｓ１）。ユーザの操作がないと判断した場合（Ｓ１：ＮＯ）、制御部１１は、ユーザの操作があるまで、他の処理を行いつつ待機する。ユーザの操作があると判断した場合（Ｓ１：ＹＥＳ）、制御部１１は、座標演算部１７にて、タッチパネル１ａに対するユーザの操作位置の座標情報を算出する（Ｓ２）。制御部１１は、算出された操作位置の座標情報を、ＰＣ接続部１５からＰＣ３へ送信する（Ｓ３）。
【００４０】
ＰＣ３の制御部３０は、タッチパネル接続部３４を介して、タッチパネル回路１０から送信された座標情報を取得し、コマンド認識部３６にて、取得した座標情報に応じた処理を特定する。そして制御部３０は、特定された処理を実行する（Ｓ４）。ＰＣ３の制御部３０は、タッチパネル１ａに対するユーザの操作位置の座標情報をタッチパネル回路１０から取得する都度、対応する処理を特定して実行する。
【００４１】
タッチパネル回路１０の制御部１１は、ステップＳ２で算出した座標情報を記憶部１３に記憶（蓄積）する（Ｓ５）。制御部１１は、コマンド認識部１８にて、記憶部１３に蓄積された座標情報によって形成される操作パターンに対して所定のパターンマッチング処理を行い（Ｓ６）、操作パターンに一致又は類似する文字又は記号を特定する。制御部１１は、パターンマッチング処理によって特定された文字又は記号が、コマンドテーブル１３ａに記憶してある登録パターンのいずれかに一致するか否かを判断する（Ｓ７）。パターンマッチング処理によって特定された文字又は記号がコマンドテーブル１３ａに記憶してある登録パターンのいずれにも一致しなかった場合（Ｓ７：ＮＯ）、制御部１１は、ステップＳ１に処理を戻す。なお、制御部１１は、パターンマッチング処理によって操作パターンが示す文字又は記号を特定できなかった場合も、文字又は記号がコマンドテーブル１３ａに記憶してある登録パターンのいずれにも一致しないとして、ステップＳ１に処理を戻す。
【００４２】
制御部１１は、パターンマッチング処理によって特定された文字又は記号がコマンドテーブル１３ａに記憶してある登録パターンのいずれかに一致すると判断するまで、ステップＳ１〜Ｓ７の処理を繰り返す。なお、制御部１１は、タッチパネル１ａに対するユーザの操作が連続している場合、座標演算部１７にて所定時間間隔で操作位置の座標情報を算出し、ＰＣ３へ送信すると共に記憶部１３に蓄積する。また、タッチパネル１ａに対するユーザの操作が終了してから所定時間が経過した後に、再度操作が行われた場合、制御部１１は、記憶部１３に蓄積した操作位置の座標情報を一旦削除し、改めて操作位置の座標情報の蓄積を行う。
【００４３】
パターンマッチング処理によって特定された文字又は記号がコマンドテーブル１３ａに記憶してある登録パターンに一致したと判断した場合（Ｓ７：ＹＥＳ）、制御部１１は、ディスプレイ回路２０（タッチディスプレイ１）に対するユーザの操作が開始された旨をＰＣ接続部１５からＰＣ３へ通知する（Ｓ８）。そして、制御部１１は、ＰＣ接続部１５からＰＣ３への座標情報の送信を停止する（Ｓ１０）。ＰＣ３の制御部３０は、タッチパネル接続部３４を介してタッチパネル回路１０から、ディスプレイ回路２０に対するユーザの操作が開始された旨の通知を受信する（Ｓ９）。操作パターンに一致又は類似する文字又は記号がいずれかの登録パターンに一致する場合、タッチパネル１ａに対するユーザの操作は、ＰＣ３に対する操作ではなくディスプレイ回路２０に対する操作である。よって、ＰＣ３への座標情報の送信を停止しておくことにより、ディスプレイ回路２０に対する操作に従ってＰＣ３が誤動作することを回避できる。
【００４４】
また、ディスプレイ回路２０に対する操作が開始された旨をＰＣ３へ通知することにより、ＰＣ３は、登録パターンに一致すると判断されるまでにタッチパネル回路１０から送信されてきた座標情報が、ＰＣ３に対する操作のための座標情報ではないと判断できる。これにより、ＰＣ３において、登録パターンに一致すると判断されるまでにタッチパネル回路１０から送信された座標情報に基づいてコマンド認識部３６が特定した処理の実行を取り消すことができる。例えば、後述するように設定メニューの表示処理を実行させるために、ユーザがタッチパネル１ａに対して「Ｍ」を入力（操作）している場合、ＰＣ３は、ユーザによって入力された「Ｍ」（手書き入力の軌跡）をディスプレイ２ａに表示する処理を行う。ここで、タッチパネル回路１０からディスプレイ回路２０に対する操作が開始された旨を通知された場合、ＰＣ３は、手書き入力の軌跡の表示を終了する（取り消す）ことが可能となる。
【００４５】
制御部１１は、パターンマッチング処理によって特定された文字又は記号が一致した登録パターンに対応するコマンドをコマンドテーブル１３ａから読み出し（Ｓ１１）、読み出したコマンドを、接続部１４を介してディスプレイ回路２０へ送出する（Ｓ１２）。ディスプレイ回路２０の制御部２１は、タッチパネル回路１０から取得したコマンドに応じた処理を実行する（Ｓ１３）。
【００４６】
次に、上述の処理中のステップＳ１０で、タッチパネル回路１０がディスプレイ回路２０へ、設定メニューの表示処理の実行を指示するコマンドを送出した場合に、タッチパネル回路１０及びディスプレイ回路２０が行う処理について説明する。なお、図４に示すコマンドテーブル１３ａの例では、ユーザがタッチパネル１ａに対して「Ｍ」を入力（操作）した場合の処理である。
図８は、設定メニューの表示中にタッチパネル回路１０及びディスプレイ回路２０が行う処理の手順を示すフローチャートである。なお、図８において、左側の処理はタッチディスプレイ１のタッチパネル回路１０による処理を、右側の処理はタッチディスプレイ１のディスプレイ回路２０による処理をそれぞれ示す。
【００４７】
ディスプレイ回路２０の制御部２１は、タッチパネル回路１０から、設定メニューの表示処理の実行を指示するコマンドを取得した場合、記憶部２３に記憶してある設定メニュー情報をＯＳＤ表示部２７に与え、設定メニューをディスプレイ２ａに表示させる（Ｓ２１）。図９は、設定メニューの表示例を示す模式図である。図９に示す設定メニューは、画面調整、映像調整、音声調整、本体設定、機能切換のそれぞれに関して各種条件の設定が可能な設定画面を有しており、タグＴを切り替えることにより任意の設定画面を表示できるように構成されている。図９には、画面調整に関する条件の設定を受け付ける設定画面が表示されている状態を示している。
【００４８】
図９に示す設定メニューでは、ユーザは、各タグＴの表示領域を接触操作することによって任意の設定画面の表示に切り替えることができる。また、各設定画面において、ユーザは、各設定項目（例えば、クロック、フェーズ等）の表示領域を操作することによって任意の設定項目を選択できる。また、各設定項目の設定値を示すグラフＧにおいて、ユーザは、所望の位置を操作、又は設定値を示すマークＧ１を所望の位置にドラッグ操作することによって任意の設定値を指定できる。また、設定画面には自動調整ボタン及び終了ボタンが表示されており、ユーザは、各条件をデフォルト値に設定したい場合は自動調整ボタンを操作し、設定メニューを介した設定処理を終了させたい場合は終了ボタンを操作する。
【００４９】
タッチパネル回路１０の制御部１１は、図７中のステップＳ１２で、設定メニューの表示処理の実行を指示するコマンドを送出した後、図７中のステップＳ１と同様に、タッチ検出部１６にて、タッチパネル１ａに対するユーザの接触操作があるか否かを判断する（Ｓ２２）。ユーザの操作がないと判断した場合（Ｓ２２：ＮＯ）、制御部１１は、ユーザの操作があるまで、他の処理を行いつつ待機する。ユーザの操作があると判断した場合（Ｓ２２：ＹＥＳ）、制御部１１は、座標演算部１７にて、タッチパネル１ａに対するユーザの操作位置の座標情報を算出する（Ｓ２３）。そして制御部１１は、算出された操作位置の座標情報を、接続部１４からディスプレイ回路２０へ送信する（Ｓ２４）。タッチパネル回路１０の制御部１１は、ステップＳ２２に処理を戻し、タッチパネル１ａに対してユーザが操作を行う都度、ステップＳ２３，Ｓ２４の処理を繰り返す。
【００５０】
ディスプレイ回路２０の制御部２１は、ステップＳ２１で設定メニューを表示させた後、接続部２４を介して、タッチパネル回路１０から送信された座標情報を取得したか否かを判断する（Ｓ２５）。取得していないと判断した場合（Ｓ２５：ＮＯ）、制御部２１は、座標情報を取得するまで待機する。
座標情報を取得したと判断した場合（Ｓ２５：ＹＥＳ）、制御部２１は、取得した座標情報に応じた処理を特定する（Ｓ２６）。ここでは、制御部２１は、ＯＳＤ表示部２７を介してディスプレイ２ａに表示中の設定メニュー（設定画面）の表示内容と、ユーザの操作位置とに基づいて、ユーザが実行を指示した処理を特定する。例えば、ユーザが、図９中のタグＴを操作した場合、制御部２１は、ユーザが操作したタグＴを特定し、特定したタグＴに対応する設定画面に表示を切り替える指示を受け付けたと判断する。
【００５１】
制御部２１は、特定した処理が、設定メニューを介した設定処理の終了指示であるか否かを判断し（Ｓ２７）、終了指示でないと判断した場合（Ｓ２７：ＮＯ）、特定した処理を実行する（Ｓ２８）。具体的には、制御部２１は、ユーザが操作したタグＴに対応する設定画面に表示を切り替える。そして、制御部２１は、ステップＳ２５に処理を戻し、タッチパネル回路１０から座標情報を取得する都度、ステップＳ２６〜Ｓ２８の処理を繰り返す。
【００５２】
特定した処理が設定処理の終了指示であると判断した場合（Ｓ２７：ＹＥＳ）、即ち、ユーザが表示画面中の終了ボタンを操作した場合、制御部２１は、設定メニューを介して指定された内容（各数値）を設定する処理を行う（Ｓ２９）。例えば、制御部２１は、画質調整部２８による画質調整処理を行う。そして、制御部２１は、ＯＳＤ表示部２７にてディスプレイ２ａに表示していた設定メニューの表示を終了する（Ｓ３０）。なお、ディスプレイ回路２０の制御部２１は、設定メニューの表示（設定メニューを介した設定処理）を終了した後、接続部２４を介してタッチパネル回路１０の制御部１１へ、メニュー表示の終了を通知する。タッチパネル回路１０の制御部１１は、メニュー表示の終了を通知された場合、図７中のステップＳ１０で停止させた座標情報の送信を再開する。即ち、以降において、ユーザがタッチパネル１ａに対して接触操作した場合、制御部１１は、その操作位置の座標情報をＰＣ接続部１５からＰＣ３へ送信する。これにより、設定処理の終了後、タッチパネル１ａを介したＰＣ３に対する操作を再開できる。
【００５３】
次に、図７に示す処理中のステップＳ１２で、タッチパネル回路１０がディスプレイ回路２０へ、動作終了を指示するコマンドを送出した場合に、タッチパネル回路１０及びディスプレイ回路２０が行う処理について説明する。なお、図４に示すコマンドテーブル１３ａの例では、ユーザがタッチパネル１ａに対して「Ｘ」を入力（操作）した場合の処理である。
図１０は、動作を終了する際にタッチパネル回路１０及びディスプレイ回路２０が行う処理の手順を示すフローチャートである。なお、図１０において、左側の処理はタッチディスプレイ１のタッチパネル回路１０による処理を、右側の処理はタッチディスプレイ１のディスプレイ回路２０による処理をそれぞれ示す。
【００５４】
ディスプレイ回路２０の制御部２１は、タッチパネル回路１０から、動作終了を指示するコマンドを取得した場合、記憶部２３に記憶してある画面情報をＯＳＤ表示部２７に与え、確認画面をディスプレイ２ａに表示させる（Ｓ４１）。図１１は、確認画面例を示す模式図である。図１１に示す確認画面は、「ＰＣとタッチディスプレイ電源オフ」及び「キャンセル」のメッセージが表示された２つの操作ボタンを有する。
【００５５】
タッチパネル回路１０の制御部１１は、図７中のステップＳ１２で、動作終了を指示するコマンドを送出した後、図７中のステップＳ１と同様に、タッチ検出部１６にて、タッチパネル１ａに対するユーザの接触操作があるか否かを判断する（Ｓ４２）。ユーザの操作がないと判断した場合（Ｓ４２：ＮＯ）、制御部１１は、ユーザの操作があるまで、他の処理を行いつつ待機する。ユーザの操作があると判断した場合（Ｓ４２：ＹＥＳ）、制御部１１は、座標演算部１７にて、タッチパネル１ａに対するユーザの操作位置の座標情報を算出する（Ｓ４３）。そして制御部１１は、算出された操作位置の座標情報を、接続部１４からディスプレイ回路２０へ送信する（Ｓ４４）。タッチパネル回路１０の制御部１１は、ステップＳ４２に処理を戻し、タッチパネル１ａに対してユーザが操作を行う都度、ステップＳ４３，Ｓ４４の処理を繰り返す。
【００５６】
ディスプレイ回路２０の制御部２１は、ステップＳ４１で確認画面を表示させた後、接続部２４を介して、タッチパネル回路１０から送信された座標情報を取得したか否かを判断する（Ｓ４５）。取得していないと判断した場合（Ｓ４５：ＮＯ）、制御部２１は、座標情報を取得するまで待機する。
座標情報を取得したと判断した場合（Ｓ４５：ＹＥＳ）、制御部２１は、取得した座標情報に応じた処理を特定する（Ｓ４６）。ここでは、制御部２１は、ＯＳＤ表示部２７を介してディスプレイ２ａに表示中の確認画面の表示内容と、ユーザの操作位置とに基づいて、ユーザが操作した操作ボタンを特定する。
【００５７】
制御部２１は、特定した処理が電源オフの指示であるか否かを判断し（Ｓ４７）、電源オフの指示であると判断した場合（Ｓ４７：ＹＥＳ）、即ち、ユーザが確認画面中の電源オフボタンを操作した場合、制御部２１は、ＰＣ３に対して動作終了を指示する（Ｓ４８）。具体的には、制御部２１は、接続部２４を介してタッチパネル回路１０の制御部１１に、ＰＣ３へシャットダウン命令を送信するように指示する。そして制御部（信号送信部）１１が、ＵＳＢ制御部１９によってＰＣ接続部１５を介してＰＣ３へシャットダウン命令を送信する。
その後、ディスプレイ回路２０の制御部２１は、タッチディスプレイ１の動作を終了させる（Ｓ４９）。ここでは、制御部２１は、接続部２４を介してタッチパネル回路１０の制御部１１に動作終了を指示すると共に、ディスプレイ回路２０の各構成部の動作を終了させる終了処理を行う。タッチパネル回路１０及びディスプレイ回路２０による終了処理がそれぞれ完了した後、電源制御部２９によるタッチディスプレイ１への電力供給が停止され、タッチディスプレイ１は停止する。
【００５８】
特定した処理が電源オフの指示でないと判断した場合（Ｓ４７：ＮＯ）、制御部２１は、特定した処理がキャンセルの指示であるか否かを判断する（Ｓ５０）。特定した処理がキャンセルの指示であると判断した場合（Ｓ５０：ＹＥＳ）、即ち、ユーザが確認画面中のキャンセルボタンを操作した場合、制御部２１は、ＯＳＤ表示部２７にてディスプレイ２ａに表示していた確認画面の表示を終了する（Ｓ５１）。なお、ディスプレイ回路２０の制御部２１は、確認画面の表示を終了した後、接続部２４を介してタッチパネル回路１０の制御部１１へ確認画面の表示終了を通知する。タッチパネル回路１０の制御部１１は、確認画面の表示終了を通知された場合、図７中のステップＳ１０で停止させた座標情報の送信を再開する。即ち、以降において、ユーザがタッチパネル１ａに対して接触操作した場合、制御部１１は、その操作位置の座標情報をＰＣ接続部１５からＰＣ３へ送信する。
特定した処理がキャンセルの指示でないと判断した場合（Ｓ５０：ＮＯ）、制御部２１は、ステップＳ４７に処理を戻し、ユーザが確認画面中の電源オフボタン又はキャンセルボタンを操作するまで待機する。
【００５９】
なお、図７に示す処理中のステップＳ１２で、タッチパネル回路１０がディスプレイ回路２０へ、外部入力の切り替えを指示するコマンドを送出した場合、ディスプレイ回路２０の制御部２１は、外部入力部２５の切替スイッチによって、外部入力部２５に接続された外部機器から入力される映像信号を切り替える。具体的には、図４に示すコマンドテーブル１３ａの例では、ユーザがタッチパネル１ａに対して「Ｓ」を入力操作する都度、制御部２１は、外部入力部２５を介して入力される映像信号を所定の順序で順次切り替える。また、例えばタッチパネル１ａに対して「Ｓ」が入力操作された場合には、再生装置からの映像信号の入力に切り替え、「Ｚ」が入力操作された場合には、ＰＣ３からの映像信号の入力に切り替える等、入力パターン（操作パターン）に応じて切り替えるようにしてもよい。
【００６０】
上述したように、本実施形態１のタッチディスプレイ１では、接続されたＰＣ３に対する操作だけでなく、タッチディスプレイ１自身に対する操作もタッチパネル１ａを介して行うことができる。よって、ユーザがタッチパネル１ａを介してＰＣ３に対する操作を行っているときにタッチディスプレイ１に対する操作を行いたい場合であっても、タッチディスプレイ１のリモートコントローラを操作する必要がなく、操作性がよい。特に、設定メニューを介して設定値を入力する操作は、リモートコントローラを用いた場合は煩雑な操作となっていたが、タッチパネル１ａに対する操作では直感的な操作ができるので、操作性がよい。
【００６１】
次に、コマンドテーブル１３ａに記憶される登録パターンの登録及び変更処理について説明する。なお、登録パターンの登録及び変更処理は所定の登録画面を介して行われ、所定の登録画面をディスプレイ２ａに表示させる際の操作は、タッチディスプレイ１のリモートコントローラを介して行われてもよいし、タッチパネル１ａを介して行われてもよい。
図１２は、登録パターンの登録処理の手順を示すフローチャートである。なお、図１２には、ディスプレイ回路２０が行う処理のみを示しており、タッチパネル回路１０による処理、例えば、タッチパネル１ａに対するユーザの操作位置の座標情報を算出する処理等は省略する。
【００６２】
登録パターンの登録及び変更処理の実行を指示された場合、ディスプレイ回路２０の制御部２１は、記憶部２３に記憶してある登録画面情報をＯＳＤ表示部２７に与え、登録画面をディスプレイ２ａに表示させる（Ｓ６１）。図１３は、登録画面例を示す模式図である。図１３Ａに示す登録画面では、タッチディスプレイ１（ディスプレイ回路２０）にて実行される各処理の内容が表示されており、各処理の隣には各処理に既に対応付けられている登録パターンが表示されている。図１３Ａに示す例では、設定メニューの表示処理に対して「Ｍ」が、外部入力の切替処理に対して「Ｓ」が、電源オフ処理に対して「Ｘ」がそれぞれ登録されている。
【００６３】
制御部２１は、接続部２４を介してタッチパネル回路１０から取得する座標情報に基づいて、登録パターンを登録（変更）すべき処理（登録対象）が選択されたか否かを判断する（Ｓ６２）。図１３Ａに示す登録画面では、例えば、ユーザの操作位置が「設定メニューの表示」及び「Ｍ」の表示領域内であれば、設定メニューの表示処理が登録対象に選択されたと判断する。
登録対象が選択されたと判断した場合（Ｓ６２：ＹＥＳ）、制御部２１は、記憶部２３に記憶してある切替画面情報をＯＳＤ表示部２７に与え、図１３Ｂに示す切替画面をディスプレイ２ａに表示させる（Ｓ６３）。図１３Ｂには、設定メニューの表示処理が登録対象に選択された場合の切替画面例を示す。図１３Ｂに示す切替画面は、設定メニューの表示処理に対して登録すべきパターンを選択できるように構成されている。例えば、切替画面において、上ボタン及び下ボタンが操作された場合、アルファベットを含む所定の文字及び記号が所定の順序で順次切り替えられて表示される。また、右ボタンが操作された場合、例えばアルファベットの大文字及び小文字等が切り替えられて表示される。
【００６４】
切替画面を表示している場合、制御部２１は、タッチパネル回路１０から取得する座標情報に基づいて、パターンの切替指示が行われたか否かを判断する（Ｓ６４）。具体的には、制御部２１は、ユーザの操作位置が上ボタン、下ボタン、右ボタンのいずれかであるか否かを判断する。パターンの切替指示が行われたと判断した場合（Ｓ６４：ＹＥＳ）、制御部２１は、ユーザが操作したボタンに応じて、切替画面に表示するパターンを切り替える（Ｓ６５）。パターンの切替指示が行われていないと判断した場合（Ｓ６４：ＮＯ）、制御部２１は、ステップＳ６５の処理をスキップし、切替画面中のＯＫボタンがユーザに操作されたか否かを判断する（Ｓ６６）。ＯＫボタンが操作されていないと判断した場合（Ｓ６６：ＮＯ）、制御部２１は、ステップＳ６４に処理を戻し、パターンの切替指示が行われる都度、ステップＳ６５の処理を行う。ＯＫボタンが操作されたと判断した場合（Ｓ６６：ＹＥＳ）、制御部２１は、ステップＳ６１に処理を戻し、図１３Ａに示す登録画面の表示に戻る。なお、ここでの登録画面では、図１３Ｂに示す切替画面を介して変更されたパターンが表示される。
【００６５】
登録画面において登録対象が選択されていないと判断した場合（Ｓ６２：ＮＯ）、制御部２１は、タッチパネル回路１０から取得する座標情報に基づいて、終了ボタンがユーザに操作されたか否かを判断する（Ｓ６７）。終了ボタンが操作されていないと判断した場合（Ｓ６７：ＮＯ）、制御部２１は、ステップＳ６２に処理を戻す。
終了ボタンが操作されたと判断した場合（Ｓ６７：ＹＥＳ）、制御部（受付部）２１は、その時点で登録画面に表示してある各パターンを登録パターンとして受け付け、コマンドテーブル１３ａに登録する（Ｓ６８）。ここでは、制御部２１は、登録画面を介して設定された登録パターンを、対応する処理を示す情報と共に、接続部２４からタッチパネル回路１０へ送出し、制御部１１に対してコマンドテーブル１３ａの更新を指示する。タッチパネル回路１０の制御部（記憶制御部）１１は、ディスプレイ回路２０からの指示に従って、ディスプレイ回路２０から取得した登録パターンをコマンドテーブル１３ａに登録し、コマンドテーブル１３ａを更新する。そして、ディスプレイ回路２０の制御部２１は、ＯＳＤ表示部２７にてディスプレイ２ａに表示していた登録画面の表示を終了する（Ｓ６９）。
【００６６】
上述したように、本実施形態１のタッチディスプレイ１では、タッチパネル１ａに対するユーザの操作パターン（接触パターン）と比較（照合）する登録パターンを任意の文字又は記号としている。よって、タッチパネル１ａに対する操作パターンに対してパターンマッチング処理を行い、その結果と登録パターンとを比較（照合）すればよいので、登録パターンとの比較が容易である。また、パターンを登録する際に任意の文字又は記号を選択すればよいので、パターンの登録が容易であり、ユーザが覚え易い又は入力し易い文字又は記号を登録パターンに登録しておくことにより、より操作性がよいタッチディスプレイ１を実現できる。
【００６７】
（実施形態２）
以下に、実施形態２のタッチディスプレイ１について説明する。本実施形態２のタッチディスプレイ１は、上述の実施形態１のタッチディスプレイ１と同様の構成を有しており、同様の構成については同一の符号を付して説明を省略する。また、本実施形態２のタッチディスプレイ１は、以下で説明する処理以外は、上述の実施形態１のタッチディスプレイ１が行う処理と同一の処理を行う。
本実施形態２のタッチディスプレイ１では、コマンドテーブル１３ａに登録される登録パターンが、所定の文字又は記号ではなく、タッチパネル１ａに対してユーザが任意に手書き入力したパターンであり、この点が上述の実施形態１と相異する。
【００６８】
本実施形態２において、登録パターンがユーザにて手書き入力されたパターンであることにより、コマンドテーブル１３ａには登録パターンとして、ユーザにて手書き入力されたパターンから抽出された特徴データが記憶されている。従って、本実施形態２において、タッチパネル回路１０のコマンド認識部１８は、実施形態１のように、操作パターンが何の文字又は記号であるかを特定するパターンマッチング処理（文字認識処理）は行わない。
【００６９】
具体的には、本実施形態２のコマンド認識部１８はまず、実施形態１と同様に、記憶部１３に蓄積された座標情報を蓄積順に順次つなぎ合わせて形成される操作パターンをパターン化する。例えば、図５Ａに示す操作パターンが入力された場合、コマンド認識部１８は、図５Ｂに示すように、操作パターンを所定サイズ（ｘ０×ｙ０）に正規化した後、図５Ｃに示すように、所定サイズの操作パターンから特徴点のデータ（特徴データ）を抽出する。そして、コマンド認識部１８は、操作パターンから抽出した特徴データ（各特徴点の座標情報）と、コマンドテーブル１３ａに記憶してある各登録パターンの特徴データとを比較する。その結果、全ての特徴データが合致した場合、操作パターンが登録パターンに一致すると判定され、全ての特徴データではないが、所定数以上の特徴データが合致した場合に、操作パターンが登録パターンに類似すると判定される。操作パターンに一致又は類似する登録パターンがコマンドテーブル１３ａに記憶されている場合、コマンド認識部１８は、この登録パターンに対応するコマンドをコマンドテーブル１３ａから読み出す。これにより、タッチパネル１ａに対するユーザの操作（操作パターン）に応じたコマンド（処理）を特定できる。
【００７０】
従って、本実施形態２のタッチパネル回路１０において、制御部１１は、図７中のステップＳ６で、パターンマッチング処理の代わりに、コマンド認識部１８にて、記憶部１３に蓄積された座標情報によって形成される操作パターンの特徴データを抽出する処理を行う。そして、図７中のステップＳ７で、制御部１１は、抽出した特徴データと、コマンドテーブル１３ａに記憶してある各登録パターンの特徴データとを比較し、操作パターンが、コマンドテーブル１３ａに記憶してある登録パターンのいずれかに一致又は類似するか否かを判断する。
これらの処理以外の処理は、上述の実施形態１と同様であり、このような処理によっても、実施形態１と同様の効果が得られる。
【００７１】
次に、本実施形態２のタッチディスプレイ１において、コマンドテーブル１３ａに記憶される登録パターンの登録及び変更処理について説明する。図１４は、登録パターンの登録処理の手順を示すフローチャートである。
本実施形態２のディスプレイ回路２０においても、実施形態１と同様に、登録パターンの登録及び変更処理の実行を指示された場合、制御部２１は、記憶部２３に記憶してある登録画面情報をＯＳＤ表示部２７に与え、登録画面をディスプレイ２ａに表示させる（Ｓ８１）。図１５は、登録画面例を示す模式図である。図１５Ａに示す登録画面では、タッチディスプレイ１（ディスプレイ回路２０）にて実行される各処理の内容が表示されている。なお、各処理に既に対応付けられている登録パターンが表示されていてもよい。
【００７２】
制御部２１は、接続部２４を介してタッチパネル回路１０から取得する座標情報に基づいて、登録パターンを登録（変更）すべき処理（登録対象）が選択されたか否かを判断する（Ｓ８２）。図１５Ａに示す登録画面では、例えば、ユーザの操作位置が「設定メニューの表示」の表示領域内であれば、設定メニューの表示処理が登録対象に選択されたと判断する。
登録対象が選択されたと判断した場合（Ｓ８２：ＹＥＳ）、制御部（表示制御部）２１は、記憶部２３に記憶してあるパターン入力画面情報をＯＳＤ表示部２７に与え、図１５Ｂに示すパターン入力画面（受付画面）をディスプレイ２ａに表示させる（Ｓ８３）。図１５Ｂには、設定メニューの表示処理が登録対象に選択された場合のパターン入力画面例を示す。図１５Ｂに示すパターン入力画面は、設定メニューの表示処理に対して登録すべきパターンをユーザが手書き入力できる入力枠Ｆが表示されている。ユーザは、画面中の入力枠Ｆ内に任意のパターンを手書き入力する。なお、既に登録されているパターンがある場合、入力枠Ｆ内には、そのパターンが表示される。従って、ユーザは、パターンを変更したい場合には、消去ボタンを操作して入力枠Ｆ内に表示中のパターンを消去した後に、新しいパターンを入力すればよい。
【００７３】
パターン入力画面を表示している場合、制御部２１は、タッチパネル回路１０から取得する座標情報をＯＳＤ表示部２７に与え、ユーザが手書き入力したパターンを入力枠Ｆ内に表示させる（Ｓ８４）。図１５Ｂには、ユーザが手書き入力したパターンが表示されている状態を示している。これにより、パターン入力画面に対してユーザが手書き入力したパターンをディスプレイ２ａに表示させることができるので、ユーザは、自身が入力したパターンを確認できる。
【００７４】
制御部２１は、タッチパネル回路１０から取得する座標情報に基づいて、パターン入力画面中の消去ボタンがユーザに操作されたか否かを判断する（Ｓ８５）。消去ボタンが操作されたと判断した場合（Ｓ８５：ＹＥＳ）、制御部２１は、ＯＳＤ表示部２７にて、入力枠Ｆ内に表示させたパターンを消去する（Ｓ８６）。次に制御部２１は、タッチパネル回路１０から座標情報を取得したか否かに基づき、新しいパターンがユーザによって入力（手書き入力）されたか否かを判断する（Ｓ８７）。新しいパターンが入力されたと判断した場合（Ｓ８７：ＹＥＳ）、制御部２１は、タッチパネル回路１０から取得した座標情報をＯＳＤ表示部２７に与え、新たに入力されたパターンを入力枠Ｆ内に表示させる（Ｓ８８）。なお、制御部２１は、消去ボタンが操作されていないと判断した場合（Ｓ８５：ＮＯ）、ステップＳ８６〜Ｓ８８の処理をスキップし、新しいパターンが入力されていないと判断した場合（Ｓ８７：ＮＯ）、ステップＳ８８の処理をスキップする。
制御部２１は、パターン入力画面中のＯＫボタンがユーザに操作されたか否かを判断する（Ｓ８９）。ＯＫボタンが操作されていないと判断した場合（Ｓ８９：ＮＯ）、制御部２１は、ステップＳ８４に処理を戻し、ユーザがパターン入力画面に対して手書き入力する都度、入力されたパターンを入力枠Ｆ内に追加して表示させる。
【００７５】
ＯＫボタンが操作されたと判断した場合（Ｓ８９：ＹＥＳ）、制御部２１は、入力されたパターンの特徴データを抽出する（Ｓ９０）。具体的には、制御部２１は、タッチパネル回路１０から順次取得していた座標情報をＲＡＭ２２に蓄積しており、ＲＡＭ２２に蓄積された座標情報をつなぎ合わせて形成されるパターン（ユーザが入力枠Ｆ内に手書き入力したパターン）を所定サイズに正規化する。そして、制御部２１は、所定サイズの操作パターンから特徴点の座標情報（特徴データ）を抽出する。制御部２１は、操作パターンから抽出した特徴データを、処理（ここでは、設定メニューの表示処理）に対応付けてＲＡＭ２２に記憶し、ステップＳ８１に処理を戻し、図１５Ａに示す登録画面の表示に戻る。なお、ここでの登録画面で、図１５Ｂに示すパターン入力画面を介して登録されたパターンが表示されてもよい。
【００７６】
登録画面において登録対象が選択されていないと判断した場合（Ｓ８２：ＮＯ）、制御部２１は、タッチパネル回路１０から取得する座標情報に基づいて、終了ボタンがユーザに操作されたか否かを判断する（Ｓ９１）。終了ボタンが操作されていないと判断した場合（Ｓ９１：ＮＯ）、制御部２１は、ステップＳ８２に処理を戻す。
終了ボタンが操作されたと判断した場合（Ｓ９１：ＹＥＳ）、制御部（パターン受付部）２１は、各処理に対応付けてＲＡＭ２２に記憶されている各パターン（各パターンの特徴データ）を登録パターンとして受け付け、コマンドテーブル１３ａに登録する（Ｓ９２）。ここでも、制御部２１は、登録画面を介して設定された登録パターンを、対応する処理を示す情報と共に、接続部２４からタッチパネル回路１０へ送出し、制御部１１に対してコマンドテーブル１３ａの更新を指示する。タッチパネル回路１０の制御部１１は、ディスプレイ回路２０からの指示に従って、ディスプレイ回路２０から取得した登録パターンをコマンドテーブル１３ａに登録し、コマンドテーブル１３ａを更新する。そして、ディスプレイ回路２０の制御部２１は、ＯＳＤ表示部２７にてディスプレイ２ａに表示していた登録画面の表示を終了する（Ｓ９３）。
【００７７】
上述したように、本実施形態２のタッチディスプレイ１では、タッチパネル１ａに対するユーザの操作パターン（接触パターン）と比較（照合）する登録パターンを任意のパターンに変更することができる。よって、ユーザが覚え易い又は入力し易いパターンを登録パターンに登録しておくことにより、より操作性がよいタッチディスプレイ１を実現できる。また、ユーザが任意に手書き入力したパターンを登録パターンとするので、ユーザが手書き入力する際の癖を含むパターンを登録パターンとすることができる。よって、タッチパネル１ａを介したタッチディスプレイ１に対する操作を、登録パターンを登録したユーザのみに制限することも可能となる。
【００７８】
また、登録パターンとして文字又は記号が登録されている場合、タッチパネル１ａを介したＰＣ３の操作中に、登録パターンに用いられている文字又は記号を含む単語又は文章がタッチパネル１ａに対して入力されることによって、タッチディスプレイ１が、この登録パターンに対するコマンドを実行する可能性が高い。即ち、ユーザは、タッチパネル１ａを介してＰＣ３を操作しているにもかかわらず、タッチディスプレイ１が、自装置に対する操作が行われたと誤判断し、誤動作する可能性が高い。よって、登録パターンに、文字、数字又は記号とは異なる形状のパターンを用いることにより、ユーザがタッチパネル１ａを介してＰＣ３を操作中に、タッチディスプレイ１が誤動作する可能性が低くなり、操作性が向上する。
【００７９】
（実施形態３）
以下に、実施形態３のタッチディスプレイ１について説明する。本実施形態３のタッチディスプレイ１は、上述の実施形態１のタッチディスプレイ１と同様の構成を有しており、同様の構成については同一の符号を付して説明を省略する。また、本実施形態３のタッチディスプレイ１は、以下で説明する処理以外は、上述の実施形態１のタッチディスプレイ１が行う処理と同一の処理を行う。
【００８０】
上述の実施形態１のタッチパネル回路１０では、座標演算部１７がタッチパネル１ａに対するユーザの操作位置の座標情報を算出し、記憶部１３に蓄積する都度、コマンド認識部１８が、蓄積された座標情報によって形成される操作パターンに対するパターンマッチング処理を行っていた。
これに対して、本実施形態３では、座標演算部１７が算出して記憶部１３に蓄積された座標情報によって形成される操作パターンが所定の大きさ以上となった場合に、コマンド認識部１８が、この操作パターンに対するパターンマッチング処理を行う。
【００８１】
図１６は、実施形態３のタッチディスプレイ１及びＰＣ３が行う処理の手順を示すフローチャートである。なお、図１６に示す処理は、図７に示す処理にステップＳ１０１，Ｓ１０２を追加したものであり、図７に示す処理の一部の図示を省略している。
本実施形態３のタッチパネル回路１０において、制御部１１は、図７中のステップＳ１〜Ｓ５と同じ処理を行う。そして、本実施形態３のタッチパネル回路１０において、制御部１１は、記憶部１３に蓄積された座標情報によって形成される操作パターンの大きさを特定する（Ｓ１０１）。例えば、制御部１１は、記憶部１３に蓄積された座標情報において、ｘ座標値の最小値及び最大値と、ｙ座標値の最小値及び最大値とを特定し、それぞれの差分値を算出し、ｘ軸方向の長さ及びｙ軸方向の長さを操作パターンの大きさとして取得する。
【００８２】
そして、制御部（判断部）１１は、特定した大きさが所定の大きさ以上であるか否かを判断する（Ｓ１０２）。例えば、制御部１１は、ｘ軸方向の長さ及びｙ軸方向の長さが、ディスプレイ２ａの横方向の長さの半分以上であるか否か、又は縦方向の長さの半分以上であるか否かを判断する。所定の大きさ以上でないと判断した場合（Ｓ１０２：ＮＯ）、制御部１１は、ステップＳ１に処理を戻し、座標情報の算出及び蓄積を継続する。特定した大きさが所定の大きさ以上であると判断した場合（Ｓ１０２：ＹＥＳ）、制御部１１は、コマンド認識部１８にて、記憶部１３に蓄積された座標情報によって形成される操作パターンに対して所定のパターンマッチング処理を行う（Ｓ６）。そして、制御部１１はステップＳ７以降の処理を行う。
ステップＳ１０１，Ｓ１０２以外の処理は、上述の実施形態１と同様であり、このような処理によっても、実施形態１と同様の効果が得られる。
【００８３】
上述したように、タッチパネル１ａに対してユーザが入力した操作パターンが所定の大きさ以上であるか否かに応じて、パターンマッチング処理及び登録パターンとの照合処理を行うか否かを切り替える。これにより、操作パターンの大きさに基づいて、タッチパネル１ａに対して行われた操作が、ＰＣ３に対する操作であるのか、タッチディスプレイ１に対する操作であるのかを明確に区別できる。
また、例えばタッチディスプレイ１を電子黒板システムに適用した場合、電子黒板として使用する際には通常５〜１０ｃｍ角程度の文字がタッチパネル１ａ（ディスプレイ２ａ）に対して書かれることが多い。よって、パターンマッチング処理及び登録パターンとの照合処理を行うか否かの判断基準となる大きさを、２０ｃｍ角以上又は３０ｃｍ角以上等に設定しておく。これにより、ユーザがタッチパネル１ａに対して電子黒板としての操作を行っている場合に、タッチディスプレイ１が、自装置に対する操作が行われたと誤判断することを防止できる。よって、タッチディスプレイ１の誤動作を防止できる。
【００８４】
上述の実施形態２は、実施形態１の変形例として説明したが、本実施形態３においても、実施形態２と同様の構成とすることが可能である。
【００８５】
以上、本発明の好適な実施形態について具体的に説明したが、各構成及び動作等は適宜変更可能であって、上述の実施形態に限定されることはない。
【００８６】
本発明に係る表示装置は、外部装置から画像信号を取得して表示する表示部と、該表示部の表示画面に対する接触位置を検出する検出部と、該検出部が検出した接触位置を前記外部装置へ送信する送信部とを備える表示装置において、複数のパターン及び各パターンに応じた処理を示す情報を対応付けて記憶する記憶部と、前記検出部が時系列的に検出した複数の接触位置を順次記憶する接触位置記憶部と、該接触位置記憶部に記憶された接触位置の集合として規定される接触パターンが、前記記憶部に記憶してあるパターンのいずれに一致又は類似するかを特定する特定部と、該特定部が特定したパターンに応じた処理を示す情報を前記記憶部から読み出し、読み出した情報が示す処理を実行する実行部とを備えることを特徴とする。
【００８７】
本発明によれば、表示装置は、表示画面に対する接触パターンが、予め登録してあるパターンに一致又は類似する場合に、このパターンに応じた処理を実行する。よって、表示装置が行う処理の実行指示を、表示画面を介して行うことができ、例えば表示装置に予め設けられたリモートコントローラを操作する必要がない。従って、例えば、表示装置の表示画面を介して外部装置に対する操作を行っている場合であっても、表示装置の表示画面を介して表示装置に対する操作を行うことができる。
【００８８】
本発明に係る表示装置は、前記接触位置記憶部に記憶された接触位置の集合として規定される接触パターンが所定の大きさよりも大きいか否かを判断する判断部を備え、前記特定部は、前記判断部が所定の大きさよりも大きいと判断した場合、前記接触パターンが前記記憶部に記憶してあるパターンのいずれに一致又は類似するかを特定するようにしてあることを特徴とする。
【００８９】
本発明によれば、表示画面に対する接触パターンが所定の大きさよりも大きい場合に、接触パターンが予め登録してあるパターンに一致又は類似するか否かの判定を行う。これにより、表示装置の表示画面を介した操作が、外部装置に対する操作であるのか、表示装置に対する操作であるのかを誤判断することを防止できる。よって、表示装置の表示画面を介して外部装置に対する操作を行っている場合に、誤って表示装置に対する操作が行われたと判断されることを防止できる。
【００９０】
本発明に係る表示装置は、前記記憶部は、複数の文字又は記号と、それぞれに応じた処理を示す情報とを対応付けて記憶しており、前記特定部は、前記接触位置記憶部に記憶された接触位置の集合として規定される接触パターンが所定の文字又は記号のいずれであるかを特定するパターン認識部を有し、該パターン認識部が特定した文字又は記号が、前記記憶部に記憶してある文字又は記号のいずれに一致又は類似するかを特定するようにしてあることを特徴とする。
【００９１】
本発明によれば、予め登録しておくパターンに文字又は記号を用いることにより、表示画面に対する接触パターンに対してパターン認証することによって接触パターンが何の文字又は記号であるかを容易に検出できる。従って、表示画面を介して手書き入力された接触パターンと予め登録してあるパターンとの比較が容易である。
【００９２】
本発明に係る表示装置は、複数の処理のそれぞれに対応付けられる文字又は記号を受け付ける受付部と、前記複数の処理のそれぞれに対応付けて、前記受付部が受け付けた文字又は記号を前記記憶部に記憶させる記憶制御部とを備えることを特徴とする。
【００９３】
本発明によれば、予め登録しておくパターンに文字又は記号を用いるので、パターンを登録する際に文字又は記号を指定すればよく、パターンの登録が容易である。
【００９４】
本発明に係る表示装置は、複数の処理のそれぞれに対応付けられるパターンを受け付ける受付画面を前記表示部に表示する表示制御部と、前記表示部に表示された受付画面に対する接触位置を前記検出部が時系列的に検出し、前記接触位置記憶部に順次記憶された複数の接触位置の集合として規定される接触パターンを受け付けるパターン受付部と、前記複数の処理のそれぞれに対応付けて、前記パターン受付部が受け付けた接触パターンを前記記憶部に記憶させる記憶制御部とを備えることを特徴とする。
【００９５】
本発明によれば、予め登録しておくパターンに、任意に手書き入力されたパターンを用いるので、それぞれの処理の実行を指示するためのパターンをユーザ独自のパターンとすることができる。
【００９６】
本発明に係る表示装置は、前記送信部は、前記特定部が一致又は類似するパターンを特定した場合、前記検出部が検出した接触位置の前記外部装置への送信を停止するようにしてあることを特徴とする。
【００９７】
本発明によれば、表示画面に対する接触パターンが一致又は類似するパターンが特定された場合、即ち、表示画面を介して表示装置に対する操作が行われている場合、表示装置が外部装置との通信を停止する。これにより、以降において、表示画面に対するユーザの接触位置が外部装置へ送信されることを防止する。よって、表示装置の表示画面を介して表示装置に対する操作が行われている場合に、この操作に基づいて外部装置が誤動作することを防止できる。
【００９８】
本発明に係る表示装置は、前記送信部は、前記特定部が一致又は類似するパターンを特定できない場合、前記検出部が検出した接触位置を前記外部装置へ送信するようにしてあることを特徴とする。
【００９９】
本発明によれば、表示画面に対する接触パターンが一致又は類似するパターンが特定されない場合、即ち、表示画面を介して表示装置に対する操作が行われていない場合、表示装置は外部装置と通信し、ユーザによる接触位置を外部装置へ送信する。よって、表示装置の表示画面を介して外部装置に対する操作が行われている場合には、ユーザによる操作（接触位置）が確実に外部装置へ送信されるので、外部装置は、ユーザによる操作に従った動作を実行できる。
【０１００】
本発明に係る表示装置は、前記記憶部は、前記パターンに対応付けて、前記外部装置の動作を制御する制御処理を示す情報を記憶しており、前記特定部が特定したパターンに対応する処理が、前記外部装置の動作を制御する制御処理である場合、前記制御処理に係る制御信号を前記外部装置へ送信する信号送信部を備えることを特徴とする。
【０１０１】
本発明によれば、表示画面に対する操作（接触パターン）によって、外部装置の動作を制御する制御処理の実行指示も可能であり、外部装置の制御処理の実行が指示された場合、実行指示された制御処理に係る制御信号を外部装置へ送信する。よって、表示画面に対するユーザの接触位置だけでなく、制御信号も表示装置から外部装置へ送信される。
【符号の説明】
【０１０２】
１  タッチパネルディスプレイ（表示装置）
３  ＰＣ（外部装置）
１０  タッチパネル回路
１１  制御部（実行部、信号送信部、判断部、記憶制御部）
１３  記憶部（接触位置記憶部）
１５  ＰＣ接続部（送信部）
１７  座標演算部（検出部）
１８  コマンド認識部（特定部、パターン認識部）
２０  ディスプレイ回路
２１  制御部（実行部、受付部、表示制御部、パターン受付部）
２ａ  ディスプレイ（表示部）
１３ａ  コマンドテーブル（記憶部）
【図１】
2014203298.tif 000003
【図２】
2014203298.tif 000004
【図３】
2014203298.tif 000005
【図４】
2014203298.tif 000006
【図５】
2014203298.tif 000007
【図６】
2014203298.tif 000008
【図７】
2014203298.tif 000009
【図８】
2014203298.tif 000010
【図９】
2014203298.tif 000011
【図１０】
2014203298.tif 000012
【図１１】
2014203298.tif 000013
【図１２】
2014203298.tif 000014
【図１３】
2014203298.tif 000015
【図１４】
2014203298.tif 000016
【図１５】
2014203298.tif 000017
【図１６】
2014203298.tif 000018